(57)【要約】      （修正有）【課題】照明具を取付面に取り付けるための照明具用取付具であって、取付面に容易に取り付けられるものを提供する。【解決手段】発光素子を搭載した回路基板と、当該発光素子の搭載面の裏面側に設けられ、当該回路基板の長さ方向に沿って延びると共に、間隙をおいて離間する一対の溝壁部の縁辺近傍から内側へ突出した係止部が形成された断面略Ｕ字状の条溝と、を有する照明具を、床面と当該床面に対して略直角な壁面とによって構成される取付面に取り付けるための取付具１は、略長方形状からなり、壁面にネジ止めするための貫通孔１ａを有する平板状の本体１０と、本体１０の一面側に設けられ、照明具の条溝の係止部に係止する一対の係止爪１２、１３と、床面に載置され、本体１０の幅方向の端部から直角に延び出した舌片部１１とを有する。【選択図】図１
0003200680.tif 000002
【実用新案登録請求の範囲】
【請求項１】
発光素子を搭載した回路基板と、当該発光素子の搭載面の裏面側に設けられ、当該回路基板の長さ方向に沿って延びると共に、間隙をおいて離間する一対の溝壁部の縁辺近傍から内側へ突出した係止部が形成された断面略Ｕ字状の条溝と、を有する照明具を、床面と当該床面に対して略直角な壁面とによって構成される取付面に取り付けるための取付具であって、
略長方形状からなり、上記壁面にネジ止めするための貫通孔を有する平板状の本体と、
上記本体の一面側に設けられ、上記照明具の条溝の係止部に係止する一対の係止爪と、
上記床面に載置され、上記本体の幅方向の端部から直角に延び出した舌片部と、を有する、
ことを特徴とする照明具用取付具。
【請求項２】
上記照明具は、上記一対の溝壁部のうち、上記床面側に配される溝壁部の短手方向の長さが、他方の溝壁部に対して上記本体の厚み分だけ短い、
請求項１記載の照明具用取付具。
【請求項３】
上記照明具は、上記一対の溝壁部のうち、上記床面側に配される溝壁部が、略上記舌片部の厚み分だけ上記床面より上方に設けられている、
請求項１又は２記載の照明具用取付具。
【請求項４】
上記貫通孔は、上記本体の長手方向を長辺方向とした略楕円形状からなる、
請求項１乃至３いずれかの項に記載の照明具用取付具。
【考案の詳細な説明】
【技術分野】
【０００１】
本考案は、照明用又は表示用の照明具を壁面や棚板等の取付面に取り付けるための取付具に関する。
【背景技術】
【０００２】
従来、ショーケースや商品陳列棚に置かれた商品をきれいに見せたり、空間を所定のイメージに演出したりするために照明が用いられている。
近年では、照明用の光源として、電球などに変わって発光ダイオード（ＬＥＤ）が用いられているところ、その明るさや節電効果、さらには素子の小ささからくる設計の自由度など、複数の理由と相俟って、様々な場面でこのような照明が施されている。
【０００３】
この点、特許文献１では、棚板に照明光源としてのＬＥＤを配設してなり、棚板の後縁面部に配設凹部を設け、複数個のＬＥＤを並列配置してなる長尺状のＬＥＤユニットを形成し、ＬＥＤユニットを配設凹部に配設してなる棚板用の照明構造が提案されている。
【０００４】
【特許文献１】特開２００７−１０３８８６号公報
【考案の概要】
【考案が解決しようとする課題】
【０００５】
上記特許文献１に示されるように、棚板の後縁面部に設けた凹部に照明具を配設するなど、現在では様々な要望のもとに、照明が配設される場所も多様になっている。
【０００６】
しかしながら、照明具を取り付ける際、照明具の取付場所の状況によって施工が難しかい場合も少なくない。特に照明具は高い場所に取り付けることも多いし、間接照明では外から直接は見えない箇所に取り付けるため、意図した位置に正確に取り付けることが難しいことも少なくない。
【０００７】
そこで、本考案は、照明具を取付面に取り付けるための照明具用取付具であって、取付面に容易に取り付けられるものを提供することを目的とする。
【課題を解決するための手段】
【０００８】
上記目的を達成するため、本考案に係る照明具用取付具は、発光素子を搭載した回路基板と、当該発光素子の搭載面の裏面側に設けられ、当該回路基板の長さ方向に沿って延びると共に、間隙をおいて離間する一対の溝壁部の縁辺近傍から内側へ突出した係止部が形成された断面略Ｕ字状の条溝と、を有する照明具を、床面と当該床面に対して略直角な壁面とによって構成される取付面に取り付けるための取付具であって、略長方形状からなり、上記壁面にネジ止めするための貫通孔を有する平板状の本体と、上記本体の一面側に設けられ、上記照明具の条溝の係止部に係止する一対の係止爪と、上記床面に載置され、上記本体の幅方向の端部から直角に延び出した舌片部と、を有することを特徴とする。
【０００９】
また、上記照明具は、上記一対の溝壁部のうち、上記床面側に配される溝壁部の短手方向の長さが、他方の溝壁部に対して上記本体の厚み分だけ短いものとしてもよい。
【００１０】
また、上記照明具は、上記一対の溝壁部のうち、上記床面側に配される溝壁部が、略上記舌片部の厚み分だけ上記床面より上方に設けられているものとしてもよい。
【００１１】
また、上記貫通孔は、上記本体の長手方向を長辺方向とした略楕円形状からなるものとしてもよい。
【考案の効果】
【００１２】
本考案に係る照明具用取付具によれば、取付面に対して容易に且つ正確に照明具を取り付けることができる。
【図面の簡単な説明】
【００１３】
【図１】本考案の実施形態に係る照明具用取付具を示した斜視図である。
【図２】本実施形態に係る照明具用取付具によって取付面に取り付けられる照明具を示した（ａ）斜視図、（ｂ）Ａ−Ａ断面図である。
【図３】本実施形態に係る照明具用取付具を取付面に取り付ける様子を示した斜視図である。
【図４】本実施形態に係る照明具用取付具に対して照明具を取り付ける様子を示した図であって、（ａ）取付前、（ｂ）取付後である。
【図５】本実施形態に係る照明具用取付具によって取付面に取り付けられる照明具を示した斜視図である。
【図６】本実施形態に係る照明具用取付具によって取付面に取り付けられる照明具を示した正面図である。
【図７】本実施形態に係る照明具用取付具によって取付面に取り付けられる照明具を示した背面図である。
【図８】本実施形態に係る照明具用取付具によって取付面に取り付けられる照明具を示した平面図である。
【図９】本実施形態に係る照明具用取付具によって取付面に取り付けられる照明具を示した底面図である。
【図１０】本実施形態に係る照明具用取付具によって取付面に取り付けられる照明具を示した左側面図である。
【図１１】本実施形態に係る照明具用取付具によって取付面に取り付けられる照明具を示した右側面図である。
【図１２】本実施形態に係る照明具用取付具によって取付面に取り付けられる照明具を示した図であって、内部機構を省略したＡ−Ａ切断部端面拡大図である。
【図１３】本実施形態に係る照明具用取付具によって取付面に取り付けられる照明具を示した図であって、透光部分を薄墨であらわした参考斜視図である。
【考案を実施するための形態】
【００１４】
以下、本考案の実施形態に係る照明具用取付具について、図を参照して説明する。
本実施形態に係る取付具１は、図１に示されるように、略長方形状及び平板状の金具であり、図２に示される長尺の照明具２を所定の取付面に取り付けるために用いられる。
【００１５】
照明具２は、一方向に長さを有し、主に間接照明として壁面あるいは棚板等の取付面に取り付けられる。
この照明具２には通常、複数の取付具１が照明具２の発光面とは逆の裏面側に取り付けられ、この取付具１が取付面に固定されることにより、照明具２が取付面に取り付けられる。
【００１６】
まず、取付具１によって取付面に取り付けられる照明具２について説明する。
照明具２は図２に示されるように、長尺の略棒状からなり、主に間接照明として、壁面や棚等の取付面に取り付けて使用される。
この照明具２は、筐体２１、カバー２２、及び閉止部材２３からなる。また、筐体２１とカバー２２は、各々に設けられている係合部２１ａと係合部２２ａ、及び係合部２１ｂと係合部２２ｂが係合することによって略筒状に一体化され、これによって形成される内部の空隙２４には、発光素子を搭載した回路基板２０が収容されている。
【００１７】
筐体２１は、金属や樹脂等の各種の材料によって製造され、内壁２１１、基底部２１２、及び条溝２１３から構成される。また、条溝２１３は溝壁２１３１、２１３２と、底面を構成する内壁２１１によって形成されている。
この筐体２１の上面側にはカバー２２が取り付けられ、カバー２２との間に形成される空隙２４内には収容される回路基板２０は筐体２１の内壁２１１に取り付けられている。
【００１８】
回路基板２０は、筐体２１の形状に即して、略長方形の平板形状からなり、発光素子を含む各種の電子部品を一面側に搭載している。この回路基板２０は空隙２４内に収容されると共に、発光素子の搭載面をカバー２２側に向け、裏面側において筐体２１の内壁２１１に接着剤等で接着して取り付けられている。
なお、回路基板２０の端部には、回路基板２０上の素子と電気的に接続するリード線が取り付けられており、このリード線は、閉止部材２３に設けられている導出孔等から外部へ導出され、外部電源と接続させることができる。
また、発光素子には、本例ではチップ型の発光ダイオード（LED：Light Emitting Diode）を用いており、発光素子は回路基板２０上に、長手方向に一定のピッチで複数、搭載されている。
【００１９】
筐体２１の基底部２１２は、底面が水平であるのに対し、上面ないしは回路基板２０の搭載側の面が、回路基板２０に向かって緩やかな下り勾配を形成した傾斜面を構成している。即ち、回路基板２０から離れる向きに肉厚が徐々に増すようになっており、これにより、回路基板２０の発光素子から発せられた光は一部が当該傾斜面で反射し、指向性が高められる。
【００２０】
筐体２１の基底部２１２の先端には、筐体２１の長さ方向に沿って、係合部２１ａが設けられている。また、筐体２１の上端部にも、筐体２１の長さ方向に沿って、係合部２１ｂが設けられている。この係合部２１ａ、２１ｂは夫々、カバー２２の係合部２２ａ、２２ｂと係合し、これにより、筐体２１の前面側がカバー２２で覆われる。
【００２１】
また、筐体２１の裏面側には、筐体２１の長さ方向に沿って、取付具１が係止する断面略Ｕ字状の条溝２１３が形成されている。
条溝２１３は、一定の間隙をおいて離間する一対の溝壁２１３１、２１３２、及び底面となる内壁２１１によって形成され、この条溝２１３に取付具１が取り付けられる。
【００２２】
ここで、間隙をおいて離間する一対の溝壁２１３１、２１３２の縁辺近傍には夫々、内側に突出した係止部２１３１ａ、２１３２ａが長手方向に沿って設けられている。
係止部２１３１ａ、２１３２ａは夫々、取付具１の係止爪１２、１３と係止し、これにより照明具２に取付具１が取り付けられる。
【００２３】
溝壁２１３１、２１３２のうち、取付面を構成する床面側ないしは下端側の溝壁２１３２は、取付具１の舌片部１１の厚み分、筐体２１の下端よりも僅かに上方に設けられ、筐体２１を床面に載置した場合、基底部２１２が床面に載置されるのに対し、溝壁２１３２は床面から、取付具１の舌片部１１の厚み分だけ僅かに浮いた状態となる。
また、筐体２１の幅方向ないしは短手方向において、溝壁２１３２は、取付具１の本体１０の厚み分、溝壁２１３１よりも僅かに短い。
【００２４】
カバー２２は、照明具２の発光面側において、筐体２１の上面ないし前面開口部を覆う部材であり、筐体２１と同様に長尺で、短手方向にＲ状の曲面を形成している。
このカバー２２の短手方向の両端部には係合部２２ａ、２２ｂが設けられており、この係合部２２ａ、２２ｂは夫々、筐体２１の係合部２１ａ、２１ｂと係合し、これにより、筐体２１の上面ないし前面開口部がカバー２２で覆われる。
なお、カバー２２は、透明あるいは半透明など、透光性を有するガラスや樹脂からなり、回路基板２０上の発光素子から発せられた光を外部に透過させる。
【００２５】
閉止部材２３は、筐体２１の長さ方向の両端、及び筐体２１とカバー２２によって形成される空隙２４を側面から閉止する部材であり、筐体２１の両端に取り付けられる。
本例では、この閉止部材２３もカバー２２と同様、透明あるいは半透明など、透光性を有するガラスや樹脂からなり、回路基板２０上の発光素子から発せられた光を外部に透過させる。
【００２６】
次に、取付具１の構造について詳述する。
取付具１は図１に示されるように、長方形状及び平板状の本体１０、本体１０の幅方向下端部の両端から直角に延び出した一対の舌片部１１、本体１０の一面側に二組設けられた一対の係止爪１２、１３から構成される。
【００２７】
本体１０の長さ方向の両端部近傍、及び略中央部には、取付具１を取付面にネジ止めするための貫通孔１ａが形成されている。略中央部の貫通孔１ａは、本体１０の長手方向を長辺方向とした略楕円形状からなり、貫通孔１ａに通されたネジと本体１０とを、楕円の長辺方向に沿って相対的にずらし、取付面に対する取付具１の取付位置を微調整することができるようになっている。なお、この例に限らず、両端部近傍の貫通孔１ａも楕円形状としてもよい。
【００２８】
係止爪１２、１３は共に、本体１０の一面側であって、照明具２に取り付けられる側に突出して設けられており、取付具１が照明具２に取り付けられる際、照明具２の条溝２１３に挿し込まれて、照明具２の係止部２１３１ａ、２１３２ａと係止する。
【００２９】
また、係止爪１２、１３の基底部分にあたる本体１０には貫通孔１ｂが設けられており、この貫通孔１ｂは、係止爪１２、１３が照明具２の係止部２１３１ａ、２１３２ａと係止する際、係止爪１２、１３の弾性変形を吸収し、係止爪１２、１３が根元から折れるのを防ぐ。
【００３０】
舌片部１１は、本体１０の幅方向下端部の両端から係止爪１２、１３と同じ方向に直角に延び出しており、取付具１を取付面に取り付ける際、取付面を構成する床面に載置され、これにより床面に対して本体１０を直角な状態に起立させる。
【００３１】
このような構成からなる取付具１は、本体１０の幅が照明具２の幅よりも僅かに小さく、取付具１と照明具２を、その長さ方向が一致する状態に重ねると、取付具１は照明具２に隠れる。
また、取付具１は、ポリカーボネート（polycarbonate）からなり、係止爪１２、１３は条溝２１３に係止する際、係止部２１３１ａ、２１３２ａからの抗力を受けて互いに近接する向きに一旦、弾性変形し、係止した後は、係止部２１３１ａ、２１３２ａからからの抗力が除荷されて元の状態に戻る。
なお、取付具１は、ポリカーボネート等の樹脂のほか、ステンレスやアルミニウム等の金属で構成することもできる。
【００３２】
続いて、本実施形態に係る取付具１を用いて、取付面に照明具２を取り付ける工程について、図３、図４を参照して説明する。
なお、取付具１を用いて証明具２が取り付けられる取付面４は、床面４２と、当該床面４２から直角に起立した壁面４１とが形成する角部分である。
【００３３】
まず、図３に示されるように、取付面４に取付具１を取り付ける。このとき、取付具１の舌片部１１を床面４２上に載置させて取付具１を起立させると共に、取付具１の本体を壁面４１に当接させる。
貫通孔１ａにネジ３を貫通させると共に壁面４１にねじ込んで、取付具１を取付面４に固定する。
なお、取付具１は、照明具２の長さ及び取付強度に応じて複数、取り付けておく。
【００３４】
そして、図４に示されるように、取付面４に取り付けられた取付具１に対して照明具２を条溝２１３側から押し当て、取付具１の係止爪１２、１３を照明具２の係止部２１３１ａ、２１３２ａに係止させる。
【００３５】
以上により、取付具１によって照明具２を取付面に容易に且つ正確に取り付けることができる。特に、取付具１の舌片部１１を床面４２に載置させて取付具１を起立させた状態で、ネジ３によって取付具１を取付面４に固定することができるので、施工が非常に楽であるし、取付位置のズレを防ぐことができる。そして、このように固定された取付具１に対し、照明具２を条溝２１３側から押し付けるだけで、取付具１と照明具２が係止し合って取り付けられる。
【００３６】
なお、以上の本実施形態に係る取付具１によって取付面に取り付けられる照明具２について、その詳細な形状を図５乃至図１３に示しておく。なお、図１３に関して、薄墨で表した部分は透明又は半透明であり、透光性を有する。
【符号の説明】
【００３７】
１          取付具
１ａ        貫通孔
１０        本体
１１        舌片部
１２        係止爪
１３        係止爪
２          照明具
２０        回路基板
２１        筐体
２１ａ      係合部
２１ｂ      係合部
２１１      内壁
２１２      基底部
２１３１    溝壁
２１３１ａ  係止部
２１３２    溝壁
２１３２ａ  係止部
２２        カバー
２２ａ      係合部
２２ｂ      係合部
２３        条溝
２４        空隙
３          ネジ
４          取付面
４１        壁面
４２        床面
【図１】
0003200680.tif 000003
【図２】
0003200680.tif 000004
【図３】
0003200680.tif 000005
【図４】
0003200680.tif 000006
【図５】
0003200680.tif 000007
【図６】
0003200680.tif 000008
【図７】
0003200680.tif 000009
【図８】
0003200680.tif 000010
【図９】
0003200680.tif 000011
【図１０】
0003200680.tif 000012
【図１１】
0003200680.tif 000013
【図１２】
0003200680.tif 000014
【図１３】
0003200680.tif 000015